(57)【要約】【課題】ＳＳＣＧによる画像への影響を低減させながらＥＭＩ低減効果を得ることができる画像読み取り装置及びこれを用いた画像形成装置を提供する。【解決手段】周期的に拡散されたクロックＣＬを生成し、ＣＣＤ１１を含む各部への駆動クロックの供給にクロックＣＬを用いる画像読み取り装置において、クロックＣＬに対する拡散処理の実施、不実施の切り替えを繰り返すように制御するイネーブルゲート信号Ｅを出力するための駆動タイミング発生回路１５を備えている。【選択図】図１
2007336485.tif 000002
【特許請求の範囲】
【請求項１】
周期的に拡散されたクロックを生成し、ＣＣＤを含む各部への駆動クロックの供給に前記クロックを用いる画像読み取り装置において、
前記クロックに対する拡散処理の実施、不実施の切り替えを繰り返すように制御するイネーブルゲート信号を出力するためのタイミング発生回路を備えたことを特徴とする画像読み取り装置。
【請求項２】
周期的に拡散されたクロックを生成し、ＣＣＤを含む各部への駆動クロックの供給に前記クロックを用いる画像読み取り装置において、
前記クロックを基に生成したクロックであって位相が互いに異なるクロックによって前記駆動クロックを構成するためのタイミング発生回路を備えたことを特徴とする画像読み取り装置。
【請求項３】
周期的に拡散されたクロックを生成し、ＣＣＤを含む各部への駆動クロックの供給に前記クロックを用いる画像読み取り装置において、
前記クロックを基に生成したクロックであって周期が互いに異なるクロックによって前記駆動クロックを構成するためのタイミング発生回路を備えたことを特徴とする画像読み取り装置。
【請求項４】
読み取りラインによって前記拡散処理の実施、不実施の順序を変えることを特徴とする請求項１記載の画像読み取り装置。
【請求項５】
前記駆動クロックは前記クロックを基にして位相を反転させたクロックと反転させないクロックとで構成したことを特徴とする請求項２記載の画像読み取り装置。
【請求項６】
読み取りラインによって周期が異なるクロックになるようにトグル動作させることを特徴とする請求項３記載の画像読み取り装置。
【請求項７】
請求項１から６のいずれか１項に記載の画像読み取り装置を備えたことを特徴とする画像形成装置。
【発明の詳細な説明】
【技術分野】
【０００１】
本発明は、スキャナ装置やデジタル複写機に適用できる画像読み取り装置及びこれを用いた画像形成装置に関し、特に、ＳＳＣＧによる画像への影響を低減させながらＥＭＩ低減効果を得ることができる画像読み取り装置及びこれを用いた画像形成装置に関する。
【背景技術】
【０００２】
原稿の画像情報を電気的に読み取る画像読み取り装置の技術が周知となっている。図９は、従来の画像読み取り装置の回路構成を示すブロック図である。図９において、ＣＣＤ（Charge Coupled Device）１１で受光した原稿からの反射光は、アナログ処理回路１２のクランプ回路１２ａ、増幅回路１２ｂでクランプ処理、増幅が行われた後に、ＡＤコンバータ１３でデジタルデータに変換される。これらを動作させるために必要なクロックは、ＳＳＣＧ１４に接続された水晶振動子又はクロックジェネレータから供給され、ＳＳＣＧ１４にて変調がかけられる。変調をかけたクロックＣＬをベースとして駆動タイミング発生回路１５で、ＣＣＤ１１、アナログ処理回路１２、ＡＤコンバータ１３夫々に必要な駆動信号が生成され供給される。
ここで言うＳＳＣＧとは、Spread Spectrum Clock Generatorの略で、入力されるクロックに対し、ある一定の周期で変調をかけ、そのことにより、不要輻射高調波のピークを拡散させ、ＥＭＩ（Electro Magnetic Interference：電磁干渉）の低減を図るデバイスである。
【０００３】
ＳＳＣＧを用いた技術としては、例えば、特許文献１〜３の技術が開示されている。特許文献１では、スペクトル拡散処理を施した第１のクロックを用い映像信号処理を実施する映像処理手段と、スペクトル拡散処理を施されていない第２のクロックを用い映像信号を生成する映像信号生成手段とを備え、コストアップを招くＥＭＩ対策部品や筐体のシールドを用いることなく、十分にＥＭＩレベルを低減させるとしている。
また、特許文献２では、撮像素子の出力信号を夫々サンプルホールドする第１及び第２のサンプルホールド手段と、基準周波数信号を発生する発生手段と、基準周波数信号を変調し拡大スペクトル・クロック信号を生成する生成手段と、生成された拡大スペクトル・クロック信号に同期して撮像素子の駆動信号と第１、第２のサンプルホールド手段を駆動する第１、第２のサンプルホールド信号とを生成する駆動信号生成手段と、第１、第２のサンプルホールド信号のうち、少なくとも一つを所定時間だけ遅延させて第１、第２のサンプルホールド手段の少なくとも一つに供給する遅延手段と、第１、第２のサンプルホールド手段のサンプルホールド出力間の差分を求める差動増幅手段とを設けることで、ＳＳＣＧを用いる場合に、ＣＣＤ出力の振幅変動をなくし、ＳＳＣＧによるＥＭＩ対策の効果をより充分なものにするとしている。
【０００４】
また、第１クロック信号を生成する第１クロック生成部と、第１クロック信号と非同期の第２クロック信号の生成を制御するための第１制御信号と、クロック信号の出力を切り替え制御する第２制御信号と、を出力するクロック制御回路と、第１クロック信号と第１制御信号とに基づき第２クロック信号を生成する第２クロック生成部と、第２制御信号に従い、第１クロック信号または第２クロック信号のうち、切り替え前のクロック信号の状態をそのクロック信号のサイクルの少なくとも半周期の間、保持した後に交代的に切り替えて切り替え後のクロック信号を出力する切り替え制御回路とを備えることで、ＳＳＣＧを使用した機器の待機電力を削減するとしている。
【特許文献１】特開２０００−１２５１４９公報
【特許文献２】特開２０００−２２４３９２公報
【特許文献３】特開２００４−０４６３０１公報
【発明の開示】
【発明が解決しようとする課題】
【０００５】
ＳＳＣＧは、近年、ＥＭＩ対策パーツとして、利用されることが増え、効果も上がっているが、この拡散変調の影響により、得られる画像データに周期的なノイズが生じてしまうことがある。ＳＳＣＧの変調周期に応じて、出力クロックが変化していくが、そのことにより、ＣＣＤ駆動クロックも同様に変化していく。その変化量は、ごく微量ではあるが、そのことによるタイミングのずれが生じ、ＣＣＤの出力に影響を与えて、読み取り画像においてスジやムラのように見えてしまうことがある。ＥＭＩのピークを落とす効果は高いのだが、この画像への影響は課題として残っている。
そこで、本発明は、上述した実情を考慮してなされたもので、ＳＳＣＧによる画像への影響を低減させながらＥＭＩ低減効果を得ることができる画像読み取り装置及びこれを用いた画像形成装置を提供することを目的とする。
【課題を解決するための手段】
【０００６】
上記の課題を解決するために、請求項１に記載の発明は、周期的に拡散されたクロックを生成し、ＣＣＤを含む各部への駆動クロックの供給に前記クロックを用いる画像読み取り装置において、前記クロックに対する拡散処理の実施、不実施の切り替えを繰り返すように制御するイネーブルゲート信号を出力するためのタイミング発生回路を備えた画像読み取り装置を特徴とする。
また、請求項２に記載の発明では、周期的に拡散されたクロックを生成し、ＣＣＤを含む各部への駆動クロックの供給に前記クロックを用いる画像読み取り装置において、前記クロックを基に生成したクロックであって位相が互いに異なるクロックによって前記駆動クロックを構成するためのタイミング発生回路を備えた画像読み取り装置を特徴とする。
また、請求項３に記載の発明では、周期的に拡散されたクロックを生成し、ＣＣＤを含む各部への駆動クロックの供給に前記クロックを用いる画像読み取り装置において、前記クロックを基に生成したクロックであって周期が互いに異なるクロックによって前記駆動クロックを構成するためのタイミング発生回路を備えた画像読み取り装置を特徴とする。
【０００７】
また、請求項４に記載の発明では、読み取りラインによって前記拡散処理の実施、不実施の順序を変える請求項１記載の画像読み取り装置を特徴とする。
また、請求項５に記載の発明では、前記駆動クロックは前記クロックを基にして位相を反転させたクロックと反転させないクロックとで構成した請求項２記載の画像読み取り装置を特徴とする。
また、請求項６に記載の発明では、読み取りラインによって周期が異なるクロックになるようにトグル動作させる請求項３記載の画像読み取り装置を特徴とする。
また、請求項７に記載の発明では、請求項１から６のいずれか１項に記載の画像読み取り装置を備えた画像形成装置を特徴とする。
【発明の効果】
【０００８】
本発明によれば、タイミング発生回路からイネーブルゲート信号を出力してＳＳＣＧによる拡散処理の実施、不実施を切り替えて、ＣＣＤの画素出力に対するＳＳＣＧの影響を連続的なものではなく、断続的なものとすることで、出力画像への影響（スジやムラなど）を目立たなくさせながらＥＭＩ低減効果を得ることが可能となる。また、ＳＳＣＧによる拡散処理の実施、不実施を切り替える機能に加え、読み取りラインによって拡散処理の実施、不実施の順序を変える機能を持たせることで、出力画像への影響をより一層目立たなくさせながらＥＭＩ低減効果を得ることができる。
また、タイミング発生回路において、ＳＳＣＧから入力されるクロックを基に、位相が互いに逆位相となるクロックを生成し、これらのクロックによってＣＣＤの駆動クロックを構成することで、出力画像への影響を目立たなくさせながらＥＭＩ低減効果を得ることも可能である。また、タイミング発生回路において、ＳＳＣＧから入力されるクロックを基に、周期が互いに異なるクロックを生成し、これらのクロックによってＣＣＤの駆動クロックを構成することで、出力画像への影響を目立たなくさせながらＥＭＩ低減効果を得ることも可能である。
また、周期が互いに異なるクロックによってＣＣＤの駆動クロックを構成する機能に加え、読み取りラインによって周期が異なるクロックになるようにトグル動作を行う機能を持たせることで、主走査方向に対する変調だけではなく、副走査方向に対しても見かけ上変調がかかり、出力画像への影響をより一層目立たなくさせながらＥＭＩ低減効果を得ることができる。
【発明を実施するための最良の形態】
【０００９】
以下、図面を参照して、本発明を実施するための最良の形態を詳細に説明する。
【００１０】
［実施例１］
図１は、本発明に係る画像形成装置が備える画像読み取り装置（実施例１）の回路構成を示すブロック図である。なお、従来技術の説明で示した図９と同様の部分については、同一の符号を付し、その詳細な説明は省略する。図１の回路構成を持つ画像読み取り装置（画像形成装置）では、図９の場合と同様に、ＳＳＣＧ（Spread Spectrum Clock Generator）１４が出力するクロックＣＬに基づいて、ＣＣＤ（Charge Coupled Device）１１を含む各部が必要とする駆動クロックをタイミング発生回路としての駆動タイミング発生回路１５が供給している。
一般的に、スキャナ（画像読み取り装置）に用いられるＣＣＤでは、高速駆動のためにＯＤＤ／ＥＶＥＮといった偶数画素、奇数画素の出力を行っており、また、カラー読み取りにおいては、Ｒ、Ｇ、Ｂの各色に対応した出力を持っている。さらに、夫々の出力に対応して、ＣＣＤ駆動のための信号を独立して入力可能である。
【００１１】
図２は、ＯＤＤ出力とＥＶＥＮ出力の２系統の出力をもつＣＣＤ１１の回路構成を示すブロック図である。光学系で結像された原稿の像は、フォトダイオードアレイで構成された受光部（図示せず）で電荷に変換されて蓄積される。シフト信号ＳＨにより、その電荷は画素毎にアナログシフトレジスタに移送され、アナログシフトレジスタであるＣＣＤレジスタは、転送クロックφにより各画素の電荷をシーケンシャルに出力し、出力バッファは電荷量を電圧に変換して外部に出力する。
出力信号はリセットパルスにより１画素毎にクリアされる。受光部はシフト信号から次のシフト信号までの期間、受光し続ける。この期間を蓄積時間と呼び、スキャナの重要なパラメータである。この蓄積時間はライン周期と同じになるため、読取線速と読取密度により一意的に決定される。画素数の多いＣＣＤでは転送速度の関係から、図２のように並列出力（ＯＤＤ／ＥＶＥＮ）されるタイプがほとんどである。
【００１２】
このような、ＣＣＤの構造の時、φＯＤＤ、φＥＶＥＮ、リセットパルスＯＤＤ、リセットパルスＥＶＥＮの様に独立して、ＣＣＤ１１に入力する駆動クロックについて、ＯＤＤ、ＥＶＥＮ夫々に対し、ＳＳＣＧ１４による拡散をかけたりかけなかったりする動作を行うことにより、ＳＳＣＧ１４の画像に対する影響を低減させつつ、ＥＭＩ低減効果も得ることができる。図１のＳＳＣＧをさらに詳細に示した図３のように、ＳＳＣＧ１４に変調切り替えのイネーブル端子を備え、そこに駆動タイミング発生回路からイネーブルゲート信号Ｅ（Ｅ１、Ｅ２）を入力することにより、ＳＳＣＧ１４による拡散処理の実施、不実施を切り替えることが可能である。これにより、ＣＣＤ１１の画素出力に対するＳＳＣＧ１４の影響を連続的なものではなく、断続的なものとすることで、ＣＣＤ１１の出力画像への影響（スジやムラなど）を目立たなくさせることができ、また、ＥＭＩ低減効果も得ることができる。
【００１３】
［実施例２］
実施例２の画像読み取り装置は、実施例１の画像読み取り装置の機能に加え、読み取りラインによって拡散処理の実施、不実施の順序を変える機能を持たせることで、拡散の影響をさらに低減させるものである。例えば、読み取りラインが偶数の時は、図３のイネーブル端子からイネーブルゲート信号Ｅ１によりＳＳＣＧ−ＯＮとし、イネーブルゲート信号Ｅ２によりＳＳＣＧ−ＯＦＦとする。
さらに、偶数ラインの時は、その逆にイネーブルゲート信号Ｅ１によりＳＳＣＧ−ＯＦＦ、イネーブルゲート信号Ｅ２によりＳＳＣＧ−ＯＮとする。この結果、得られるＣＣＤ出力（画素）の関係は、図４のようになり、１ラインおきに、その設定が変わる。したがって、実施例２の画像読み取り装置では、ＣＣＤ１１の画素出力に対するＳＳＣＧ１４の影響を断続的なものとすることで、出力画像への影響をより一層目立たなくさせることができ、また、ＥＭＩ低減効果も得ることができる。なお、この例では、１ライン毎での切り替えを示したが、切り替え時間等で、物理的な制約がある場合は、複数ラインでの切り替えであってもよい。
【００１４】
［実施例３］
実施例３の画像読み取り装置は、駆動タイミング発生回路１５において、ＳＳＣＧ１４から入力されるクロックＣＬを基に、位相が互いに異なるクロックを生成し、これらのクロックによってＣＣＤ１１の駆動クロックを構成するものである。この例では、互いに逆位相となるクロックによって駆動クロックを構成する。すなわち、ＯＤＤとＥＶＥＮの駆動信号に対し、ＳＳＣＧ１４の変調の位相を夫々逆の関係になるように印加することにより、画像データへの影響の低減はそのままに、ＥＭＩ低減効果をより向上させるものである。
図５のように、変調周期を反位相させた状態で、ＥＶＥＮ、ＯＤＤクロックを形成すると、得られるＣＣＤ出力は、連続した影響ではなくなり、拡散の影響が目立たない画像データを得ることができる。また、双方のクロックに、ＳＳＣＧ１４は、かかっているので、ＥＭＩ低減効果も期待できる。したがって、実施例３の画像読み取り装置では、ＣＣＤ１１の画素出力に対するＳＳＣＧ１４の影響を断続的なものとすることで、出力画像への影響を目立たなくさせることができ、また、ＥＭＩ低減効果も得ることができる。
【００１５】
［実施例４］
実施例４の画像読み取り装置は、駆動タイミング発生回路において、ＳＳＣＧ１４から入力されるクロックＣＬを基に、周期が互いに異なるクロックを生成し、これらのクロックによってＣＣＤ１１の駆動クロックを構成するものである。逆位相のクロックを生成することが困難な場合は、変調周期を変えて、同位相にならないようにすることで、同一の効果を得ることが可能である。この例では、ＯＤＤとＥＶＥＮとで変調周期が互いに異なるクロックによってＣＣＤ１１の駆動クロックを構成している。図６の例は、長周期と短周期のＳＳＣＧクロックをＯＤＤ、ＥＶＥＮ駆動クロックに夫々適用したものである。
したがって、実施例４の画像読み取り装置では、ＣＣＤ１１の画素出力に対するＳＳＣＧ１４の影響を断続的なものとすることで、出力画像への影響を目立たなくさせることができ、また、ＥＭＩ低減効果も得ることができる。なお、同一のＳＳＣＧであって任意の変調周期を設定困難なＳＳＣＧであっても、拡散幅を夫々異なる幅にすることにより、周期を変えることは可能である。
【００１６】
［実施例５］
実施例５の画像読み取り装置は、実施例４の画像読み取り装置の機能に加え、読み取りラインによって周期が異なるクロックになるようにトグル動作を行う機能を持たせることで、拡散の影響をさらに低減させるものである。この例では、ＯＤＤ出力に対応したクロック及びＥＶＥＮ出力に対応したクロックに対し、ライン毎のトグル動作で、周期設定を切り替えるようになっている。
図７に示す構成において、ライン毎に拡散幅切替端子を切り替えることによって、拡散幅が変化し、その結果、周期がライン毎に変化する。結果的に、図８に示すような出力を得ることができる。したがって、実施例５の画像読み取り装置では、主走査方向に対する変調だけではなく、副走査方向に対しても見かけ上変調がかかることにより、より一層出力画像への影響を見えにくくすることができ、また、ＥＭＩ低減効果も得ることができる。なお、ＯＤＤ、ＥＶＥＮにかかわらず、一定ライン毎に周期設定を変える構成においても同様な効果を得ることができる。
【図面の簡単な説明】
【００１７】
【図１】本発明に係る画像読み取り装置（実施例１）の回路構成を示すブロック図である。
【図２】ＣＣＤ１１の回路構成を示すブロック図である。
【図３】実施例１におけるＳＳＣＧ１４の拡散制御を説明するためのブロック図である。
【図４】実施例２における各読み取りラインの構成を示す説明図である。
【図５】実施例３において生成されるＯＤＤ、ＥＶＥＮの各クロックの波形図である。
【図６】実施例４において生成されるＯＤＤ、ＥＶＥＮの各クロックの波形図である。
【図７】実施例５におけるＳＳＣＧ１４の拡散制御を説明するためのブロック図である。
【図８】実施例５における各読み取りラインの構成を示す説明図である。
【図９】従来の画像読み取り装置の回路構成を示すブロック図である。
【符号の説明】
【００１８】
１１  ＣＣＤ、１２  アナログ処理回路、１２ａ  クランプ回路、１２ｂ  増幅回路、１３  ＡＤコンバータ、１４  ＳＳＣＧ、１５  駆動タイミング発生回路、ＣＬ  クロック、Ｅ、Ｅ１、Ｅ２  イネーブルゲート信号
【図１】
2007336485.tif 000003
【図２】
2007336485.tif 000004
【図３】
2007336485.tif 000005
【図４】
2007336485.tif 000006
【図５】
2007336485.tif 000007
【図６】
2007336485.tif 000008
【図７】
2007336485.tif 000009
【図８】
2007336485.tif 000010
【図９】
2007336485.tif 000011